(57)【要約】      （修正有）【課題】構成の複雑化を生じることなく、トラック間のクロストークを低減する。【解決手段】複数トラックが形成される光媒体を光学的に再生する光媒体再生装置は、光媒体から戻る、対物レンズの瞳の形状に応じて、ビーム径１１を外側部分の第１の領域、内側部分の第２の領域１２に分割し、第１の領域の第１の検出信号および第２の領域の第２の検出信号を使用してトラック間のクロストークを低減する。【選択図】図３
2014232556.tif 000002
【特許請求の範囲】
【請求項１】
複数トラックが形成される光媒体を光学的に再生する光媒体再生装置であって、
光媒体から戻る、前記対物レンズの瞳の形状に応じて、ビームを外側部分の第１の領域、内側部分の第２の領域に分割し、
前記第１の領域の第１の検出信号および前記第２の領域の第２の検出信号を使用してトラック間のクロストークを低減する光媒体再生装置。
【請求項２】
前記第２の領域は、トラック方向を長手とする長方形若しくは楕円形または類似の形状であり、前記長手が前記ビーム径未満である請求項１に記載の光媒体再生装置。
【請求項３】
前記第１の検出信号から前記第２の検出信号を減算してクロストークを低減する請求項１に記載の光媒体再生装置。
【請求項４】
前記対物レンズを通過し、ディテクタに至る光路中に、前記第２の領域の光を減衰させる光減衰部材を配置する請求項１に記載の光媒体再生装置。
【請求項５】
前記光減衰部材が遮光部材である請求項４に記載の光媒体再生装置。
【請求項６】
前記光減衰部材が前記対物レンズと一体に変位するようになされた請求項４に記載の光媒体再生装置。
【請求項７】
ディテクタ上において、前記第１の領域を検出する領域の中に、前記第２の領域を検出する領域が形成される請求項１に記載の光媒体再生装置。
【請求項８】
前記対物レンズを通過し、ディテクタに至る光路中に配され、前記第１の領域と前記第２の領域とを前記ディテクタの受光領域において分離させる光路変換部材を有する請求項１に記載の光媒体再生装置。
【請求項９】
前記光路変換部材が前記対物レンズと一体に変位するようになされた請求項８に記載の光媒体再生装置。
【請求項１０】
複数トラックが形成される光媒体を光学的に再生する光媒体再生方法であって、
光媒体から戻る、前記対物レンズの瞳の形状に応じて、ビームを外側部分の第１の領域、内側部分の第２の領域に分割し、
前記第１の領域の第１の検出信号および前記第２の領域の第２の検出信号を使用してトラック間のクロストークを低減する光媒体再生方法。
【発明の詳細な説明】
【技術分野】
【０００１】
本開示は、光ディスク等の光媒体を再生する光媒体再生装置および光媒体再生方法に関する。
【背景技術】
【０００２】
光ディスクの高密度化の一つの方法は、トラックピッチをより狭くすることである。しかしながら、トラックピッチを狭くすると、隣接トラックからの情報の漏れ込み（隣接トラッククロストーク）が増大する。隣接トラッククロストーク（以下、単にクロストークと適宜称する）を低減するための方法が提案されている。
【０００３】
例えば特許文献１には、再生対象のトラックと、その両側のトラックとのそれぞれの再生信号を適応イコライザユニットに供給し、適応イコライザユニットのタップ係数を制御することによって、クロストークを打ち消すことが記載されている。
【先行技術文献】
【特許文献】
【０００４】
【特許文献１】特開２０１２−０７９３８５号公報
【発明の概要】
【発明が解決しようとする課題】
【０００５】
特許文献１に記載のものは、電気信号処理によってクロストークを低減するものである。したがって、再生対象のトラックと両側のトラックを読み取るために、３個のビームを必要とする。１ビームが３個のトラックを順次再生し、再生信号を同時化することも可能である。同時化するためのメモリが必要となる。何れの場合も、適応イコライザユニットが必要となる。したがって、特許文献１に記載のものは、電気的構成が複雑となる問題があった。
【０００６】
したがって、本開示の目的は、電気的構成が複雑化することを防止できる光媒体再生装置および光媒体再生方法を提供することにある。
【課題を解決するための手段】
【０００７】
上述の課題を解決するために、本開示は、複数トラックが形成される光媒体を光学的に再生する光媒体再生装置であって、
光媒体から戻る、対物レンズの瞳の形状に応じて、ビームを外側部分の第１の領域、内側部分の第２の領域に分割し、
第１の領域の第１の検出信号および第２の領域の第２の検出信号を使用してトラック間のクロストークを低減する光媒体再生装置である。
好ましくは、第２の領域は、トラック方向を長手とする長方形若しくは楕円形または類似の形状であり、長手がビーム径未満である。
【発明の効果】
【０００８】
本開示によれば、再生対象のトラック以外の隣接トラックを再生することが不要であり、単一ビームでもって光媒体を再生できる。さらに、１ビームで連続的に３本のトラックを再生し、メモリによって同時化することが不要であり、メモリの増大を防止できる。さらに、適応イコライザユニットのタップ係数を制御することが不要となり、電気的構成および処理を簡単とできる。
【図面の簡単な説明】
【０００９】
【図１】本開示の第１の実施の形態による光ディスク装置の構成を示すブロック図である。
【図２】本開示の第１の実施の形態における光ピックアップの構成を示す略線図である。
【図３】第１の実施の形態におけるマスクの説明に用いる略線図である。
【図４】本開示の効果を説明するためのグラフの一例である。
【図５】本開示の効果を説明するためのグラフの他の例である。
【図６】本開示の効果を説明するための略線図である。
【図７】本開示の効果を説明するための略線図である。
【図８】透過部と遮光部とを反転させたマスクの例を示す略線図である。
【図９】図８のマスクを使用した場合のビームスポットの説明に供する略線図である。
【図１０】図８のマスクを使用した場合のビームスポットの説明に供する略線図である。
【図１１】遮光部がスリット状の場合の複数の遮光部の例を示す略線図である。
【図１２】図１１に示す遮光部を有するマスクを使用した場合の効果を説明するためのグラフである。
【図１３】効果を説明するためのグラフである。
【図１４】ビームスポットの形状を説明するための略線図である。
【図１５】ビームスポットの形状を説明するためのグラフである。
【図１６】本開示の第１の実施の形態の変形例を示す略線図である。
【図１７】本開示の第２の実施の形態の構成を示す略線図である。
【図１８】第２の実施の形態の効果を説明するためのグラフである。
【図１９】第２の実施の形態の効果を説明するためのグラフである。
【図２０】第２の実施の形態の変形例を説明するための略線図である。
【図２１】プリズムを使用する第２の実施の形態の変形例を説明するための略線図である。
【図２２】第２の実施の形態の変形例における光検出を説明するための略線図である。
【図２３】回折素子を使用する第２の実施の形態の変形例を説明するための略線図である。
【発明を実施するための形態】
【００１０】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
なお、本開示の説明は、下記の順序にしたがってなされる。
＜１．第１の実施の形態＞
＜２．第２の実施の形態＞
＜３．変形例＞
【００１１】
＜１．第１の実施の形態＞
「光ディスク装置の構成および光ディスク」
本開示を適用した光ディスク装置１０１は、図１に示すように、光記録媒体としての光ディスク１００に対して情報の記録再生を行う光ピックアップ１０３と、光ディスク１００を回転させるスピンドルモータ１０４とを備える。光ピックアップ１０３を光ディスク１００の径方向に移動させるために、送りモータ１０５が設けられている。
【００１２】
光ディスク１００としては、例えばＢＤ（Blu-ray Disc（登録商標））を使用できる。ＢＤは、片面単層で約２５Ｇバイト、片面２層で約５０Ｇバイトの記録容量を有する高密度光ディスクである。ＢＤ規格では、ビームスポット径を小とするために、光源波長を４０５ｎｍとし、対物レンズの開口数ＮＡ(Numerical Aperture)を０．８５と大きくしている。ＣＤ規格では、光源波長：７８０ｎｍ、ＮＡ：０．４５、スポット径：２．１１μｍであり、ＤＶＤ規格では、光源波長：６５０ｎｍ、ＮＡ：０．６、スポット径：１．３２μｍである。ＢＤ規格では、スポット径を０．５８μｍまで絞ることができる。
【００１３】
さらなる記録容量の増大のためには、グルーブトラックおよびランドトラックの両方にデータを記録する方法（ランド／グルーブ記録方式と適宜称する）を採用する光ディスクが望ましい。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。さらに、複数の情報記録層が積層された多層光ディスクであれば、より記録容量を増加できる。本開示は、ＢＤに限らず、これらの高密度光ディスクに対して適用できる。
【００１４】
図１に戻ると、光ディスク装置１０１において、スピンドルモータ１０４および送りモータ１０５は、システムコントローラ１０６からの指令に基づいて制御されるサーボ制御部１０７により駆動制御される。
【００１５】
光ピックアップ１０３は、光ディスク１００の記録面に対して光ビームを照射し、この光ビームの記録面による反射光ビームを検出する。光ピックアップ１０３は、光ディスク１００の記録面からの反射光ビームに基づいて、各光ビームに対応する信号をプリアンプ１０８に供給する。
【００１６】
プリアンプ１０８は、光検出器からの出力に基づいて、非点収差法等によってフォーカスエラー信号を生成し、また、後述するように、トラッキングエラー信号を生成する。さらに、プリアンプ１０８は、ＲＦ信号を生成し、ＲＦ信号を、信号変復調＆ＥＣＣブロック１５に出力する。プリアンプ１０８は、フォーカスエラー信号とトラッキングエラー信号とをサーボ制御部１０７に出力する。
【００１７】
信号変復調＆ＥＣＣブロック１０９は、光ディスク１００に対して、データの記録を行うとき、インターフェース１１０またはＤ／Ａ，Ａ／Ｄ変換器１１１から入力されたディジタル信号に対して、記録処理を施す。例えば、信号変復調＆ＥＣＣブロック１０９は、エラー訂正符号化を行い、１−７ＰＰ方式等の変調処理を行う。
【００１８】
なお、データ圧縮してデータ記録するときには、圧縮伸長部を信号変復調＆ＥＣＣブロック１０９とインターフェース１１０またはＤ／Ａ，Ａ／Ｄ変換器１１１との間に設けても良い。この場合、データは、ＭＰＥＧ２ＭＰＥＧ２(Moving Picture Experts Group Phase 2)やＭＰＥＧ４といった方式でデータが圧縮される。
【００１９】
サーボ制御部１０７は、プリアンプ１０８からフォーカスエラー信号やトラッキングエラー信号が入力される。サーボ制御部１０７は、フォーカスエラー信号やトラッキングエラー信号が０となるようなフォーカスサーボ信号やトラッキングサーボ信号を生成し、これらのサーボ信号に基づいて、対物レンズを駆動する２軸アクチュエータ等の対物レンズ駆動部を駆動制御する。さらに、プリアンプ１０８からの出力より、同期信号等を検出して、ＣＬＶ（Constant Linear Velocity）方式等で、スピンドルモータ１０４を制御する。レーザ制御部１１２は、光ピックアップ１０３のレーザ光源を制御する。レーザ制御部１１２は、記録モード時と再生モード時とでレーザ光源の出力パワーを異ならせる制御を行っている。
【００２０】
システムコントローラ１０６は、装置全体を制御する。システムコントローラ１０６は、ユーザからの操作入力に応じて、光ディスク最内周にあるプリマスタードピットやグルーブ等に記録されたアドレス情報やＴＯＣ（Table Of Contents）に基づいて光ディスク
装置１０１を制御する。ここで、システムコントローラ１０６は、記録再生を行う光ディスクの記録位置や再生位置を特定し、特定した位置に基づいて、各部を制御する。
【００２１】
以上のように構成された光ディスク装置１０１は、スピンドルモータ１０４によって、光ディスク１００を回転操作し、サーボ制御部１０７からの制御信号に応じて送りモータ１０５を駆動制御する。光ディスク装置１０１は、光ピックアップ１０３を光ディスク１００の所望の記録トラックに対応する位置に移動することで、光ディスク１００に対して情報の記録再生を行う。
【００２２】
具体的には、光ディスク装置１０１により記録再生するときには、サーボ制御部１０７は、光ディスク１００を回転させ、光ピックアップ１０３が光源から光ビームを照射して光検出器により光ディスク１００からの戻りの光ビームを検出し、フォーカスエラー信号やトラッキングエラー信号を生成する。光ピックアップ１０３は、これらフォーカスエラー信号やトラッキングエラー信号に基づいて対物レンズ駆動機構により対物レンズを駆動してフォーカスサーボおよびトラッキングサーボを行う。
【００２３】
また、光ディスク装置１０１により記録する際には、外部コンピュータ１１３からの信号がインターフェース１１０を介して信号変復調器＆ＥＣＣブロック１０９に入力される。信号変復調器＆ＥＣＣブロック１０９は、インターフェース１１０またはＤ／Ａ，Ａ／Ｄ変換器１１１から入力されたディジタルデータに対してエラー訂正符号化を行い、さらに変調処理を行った後に記録信号を生成する。レーザ制御部１１２は、信号変復調器＆ＥＣＣブロック１０９で生成された記録信号に基づいて、光ピックアップ１０３のレーザ光源を制御して、光ディスク１００に記録する。
【００２４】
光ディスク１００に記録された情報を光ディスク装置１０１により再生する際には、光検出器で検出された信号に対して、信号変復調器＆ＥＣＣブロック１０９が復調処理を行う。信号変復調器＆ＥＣＣブロック１０９により復調された記録信号がコンピュータのデータストレージ用であれば、インターフェース１１０を介して外部コンピュータ１１３に出力される。これにより、外部コンピュータ１１３は、光ディスク１００に記録された信号に基づいて動作することができる。
【００２５】
信号変復調器＆ＥＣＣブロック１０９により復調された記録信号がオーディオ・ビジュアル用であれば、Ｄ／Ａ，Ａ／Ｄ変換器１１１でデジタルアナログ変換され、オーディオ・ビジュアル処理部１１４に供給される。そしてオーディオ・ビジュアル処理部１１４でオーディオ・ビジュアル処理が行われ、オーディオ・ビジュアル信号入出力部１１５を介して、図示しない外部のスピーカやモニタに出力される。
【００２６】
「光ピックアップ」
次に、上述した光ディスク装置に用いられる光ピックアップ１０３について、図２を用いて説明する。光ピックアップ１０３は、例えば波長λが４０５ｎｍのレーザ光（ビーム）を出力するレーザダイオード（ＬＤ：Laser Diode)１を有する。レーザ光を用いて、光ディスク１００に情報を記録し、光ディスク１００から情報を再生する。
【００２７】
レーザ光がコリメータレンズ２で平行光とされた後、偏光ビームスプリッタ（ＰＢＳ：Polarizing Beam Splitter）３によって光ディスク１００側に９０°反射され、対物レンズ４をを通って光ディスク１００に照射される。対物レンズ４は、トラッキング方向およびフォーカス方向に変位可能に支持されている。
【００２８】
光ディスク１００で反射されたレーザ光が対物レンズ４を通って偏向ビームスプリッタ３に入り、偏向ビームスプリッタ３および光減衰部材としてのマスク５を通過してディテクタ６に照射される。ディテクタ６によって、電気信号に変換される。
【００２９】
なお、図２の光ピックアップ１０３の構成は、本開示を説明するための最小限の構成要素を示しており、所定の非点収差が与えるための図示しないシリンドリカルレンズが設けられ、さらに、フォーカスエラー信号およびトラッキングエラー信号検出のために、ディテクタ６が４個の領域に分割されている。ディテクタ６の各領域の出力信号を演算することで、メインデータ信号、トラッキングエラー信号およびフォーカスエラー信号が算出される。さらに、マスク５とディテクタ６との間に集光レンズを配置しても良い。
【００３０】
「マスクの一例」
図３は、マスク５の一例を示す。マスク５の配置位置におけるビーム径１１は、図３において、円で示すものとなる。ビーム径１１の形状は、対物レンズ４の瞳の形状に応じたものとなる。ビーム径１１の中心部に第２の領域としての遮光部１２が形成される。ビーム径１１の領域中の遮光部１２を除く領域が第１の領域である。
【００３１】
遮光部１２は、トラック方向（以下、タンジェンシャル方向と適宜称する）を長手とする長方形若しくは楕円形または類似の形状例えば長方形である。長方形の長辺がビーム径１１未満である。すなわち、ビーム径１１が遮光部１２によって分離されない。
【００３２】
遮光部１２のタンジェンシャル方向を縦方向とし、トラック横断方向（以下、ラジアル方向と適宜称する）を横とする。縦の長さをＷとし、アスペクト比をＡ（＝横／縦）とすると、横の長さがＡ・Ｗとなる。アスペクト比Ａが１の場合、遮光部１２の形状が正方形であることを意味し、アスペクト比Ａが１より大の場合は、縦の長さより横の長さが大きいことを意味する。本開示では、遮光部１２の好ましいアスペクト比Ａは、１未満である。なお、遮光部１２の形状を表す場合、（Ｗ，Ａ）と表記する。例えば（０．５，０．５）の表記は、Ｗ＝０．５でＡ＝０．５を表す。この場合の横の長さは、０．２５となる。
【００３３】
「マスクの効果」
図４および図５は、本開示のクロストーク低減効果を示すためのグラフであり、横軸をフォーカスバイアス（μｍ）とし、縦軸を評価値例えばジッタ（％）としている。ジッタ以外の評価値例えばエラー率を使用しても良い。フォーカスバイアスは、レーザ光の焦点位置に対してオフセットを与える値である。実際のディスク再生装置では、フォーカスエラー信号のレベルが０のときが最良の合焦状態とならない場合がある。そのために、フォーカスエラー信号レベルの目標値をフォーカスバイアスとするようになされる。測定条件として、波長λ、対物レンズ４のＮＡは、ＢＤの場合と同様の値とされている。さらに、光ディスク１００としては、ランドおよびグルーブの両方に記録を行うものを使用して、記録済部分を再生して測定を行っている。
【００３４】
図４は、トラックピッチＴｐを０．４５μｍとした場合の測定結果である。図４中のグラフ２１ａおよび２１ｂがマスク５を有する場合の特性を示し、グラフ２２ａおよび２２ｂがマスク５を有しない場合、すなわち、既存の再生装置の特性を示す。グラフ２１ａおよび２２ａは、ランドトラックの再生時の特性であり、グラフ２１ｂおよび２２ｂは、グルーブトラックの再生時の特性である。
【００３５】
図４から分かるように、本開示の第１の実施の形態は、ランドトラックの再生時のジッタを９％以下とすることができ、グルーブトラックの再生時のジッタをほぼ９％とすることができる。これに対して、既存の再生装置のランドトラックの再生時のジッタが１３％以上であり、グルーブトラックの再生時のジッタが１３％以上である。このように、本開示の第１の実施の形態によれば、既存の再生装置に比してより大きな再生マージンを確保することができる。
【００３６】
図５は、トラックピッチＴｐを０．４７５μｍとした場合の測定結果である。図５中のグラフ２３ａおよび２３ｂがマスク５を有する場合の特性を示し、グラフ２４ａおよび２４ｂがマスク５を有しない場合、すなわち、既存の再生装置の特性を示す。グラフ２３ａおよび２４ａは、ランドトラックの再生時の特性であり、グラフ２３ｂおよび２４ｂは、グルーブトラックの再生時の特性である。
【００３７】
図５から分かるように、本開示の第１の実施の形態は、ランドトラックの再生時のジッタを８％以下とすることができ、グルーブトラックの再生時のジッタを９％以下とすることができる。これに対して、既存の再生装置のランドトラックの再生時のジッタがほぼ１０％であり、グルーブトラックの再生時のジッタが１０％以上である。このように、本開示の第１の実施の形態によれば、既存の再生装置に比してより大きな再生マージンを確保することができる。
【００３８】
光ディスク１００の記録面上におけるビームスポットのサイズは、一般的に下記の式で表される。λは、使用するレーザ光の波長であり、ＮＡは、対物レンズ４の開口数である。
スポット径（φ）＝１．２２×λ／ＮＡ
【００３９】
上式の半値よりマークのピッチ（ｄ）が狭いと、クロストークの影響を受ける。例えば（λ＝４０５ｎｍ、ＮＡ＝０．８５）の場合、ｄ＝２９０ｎｍとなり、この値よりトラックピッチが小さいと、クロストークが増える。ＢＤの場合、トラックピッチが３２０ｎｍとされている。
【００４０】
マスク５の通過後のビームを集光した焦点面での光の強度の等高線の計算結果を図６に示す。図６Ａは、マスク５が無い場合を示し、図６Ｂがマスク５がある場合を示す。スポットの光強度を等高線と同様の線を示す。最も中心に近い線で囲まれた領域の強度が最大であり、スポットの外側に向かうほど強度が徐々に低下する。マスク５は、タンジェンシャル方向を長手方向とするもので、例えば（Ｗ，Ａ）＝（０．６，０．３３）である。マスク形状を光学的にフーリエ変換した状況で光を遮っているために、ラジアル方向にビームが絞られた形状となっている。仮にマスク形状の光のみを集光した場合、焦点面ではラジアル方向にビームが大きくなる。逆にその光を遮光することを行うので、ラジアル方向にビームが絞られる。この作用がディスクの記録面からの反射光源に生じて記録面上のスポットの隣接トラックにかかっている光（ノイズ成分）を遮断してクロストーク成分をキャンセルしている。
【００４１】
図７は、図６に示すスポットの中心を通る直交するタンジェンシャル方向およびラジアル方向の２本の線上の強度分布を示す。図７の横軸は、寸法で、単位は［μｍ］であり、縦軸は、最大値で規格化した値を示す。後述する強度分布における横軸および縦軸も同様の値を示す。図７Ａおよび図７Ｂは、マスク５を設けない場合のラジアル方向およびタンジェンシャル方向の強度分布を示す。マスクを設けない場合のスポットは、円形であるので、両方向に関してほぼ同様の幅の分布カーブが得られる。図７Ｃおよび図７Ｄに示すように、マスク５を設ける場合には、タンジェンシャル方向に関しては、図７Ｂおよび図７Ｄが同様の強度分布のカーブとなる。ラジアル方向に関しては、図７Ｃに示すように、図７Ａと比較して幅の狭い強度分布のカーブとなる。
【００４２】
なお、図２の光ピックアップの構成では、ディテクタ６の前にマスク５を配置し、光ディスク１００の記録面からの反射光（戻り光）の一部を遮光している。しかしながら、レーザダイオード１から光ディスク１００の記録面までの間の入射光路中にマスクを配置するようにしても良い。この場合には、記録面上でのスポットの形状に直接的に影響することになり、例えばビームのサイドローブが強くなって隣接トラックのマークを読む量が増加する等の問題が発生する。したがって、好ましくは、戻り光の光路中にマスクが挿入される。
【００４３】
図８は、ビーム径１１において、矩形の領域を透過部１３ａとし、それ以外の領域を遮光部１３ｂとしたマスク５’を示す。すなわち、上述したマスク５とは、透過部および遮光部の関係を逆としたものである。このマスク５’をマスク５と同様に戻り光の光路中に配置した場合、光ディスク１００の記録面上のスポットが図９に示すものとなる。さらに、図９のスポットの中心を通るラジアル方向の線上の強度分布が図１０Ａに示すものとなり、タンジェンシャル方向の線上の強度分布が図１０Ｂに示すものとなる。
【００４４】
図９および図１０から分かるように、遮光部および透過部がマスク５と反対の関係とされたマスク５’の場合、ラジアル方向にスポットの幅が拡がったものとなる。したがって、マスクの中央部は、クロストーク成分をより多く含んでいることが分かる。したがって、戻り光の中央部を遮光することで、クロストーク成分の低減効果が得られる。
【００４５】
さらに、マスク５の長手方向がビーム径の直径未満とされている。若し、マスク５の長手方向が直径以上の場合には、信号特性が低下してしまう。この点に関して図１１乃至図１５を参照して説明する。
【００４６】
図１１Ａは、（Ｗ，Ａ）＝（１．０，０．５）であって、長手方向がビーム径１１より大であるため、遮光部がスリット状となる例である。図１１における縦方向がタンジェンシャル方向であり、横方向がラジアル方向である。このマスクを使用した場合のジッタを計算すると、図１２Ａに示すものとなる。図１２において、横軸は、フォーカスバイアスの値である。図１２Ａに示すように、最良のジッタが０．１５（１５％）となる。この値は、図４または図５を参照して説明したジッタの値より明らかに悪い値である。
【００４７】
図１１Ｂは、（Ｗ，Ａ）＝（１．０，０．２５）であって、長手方向がビーム径１１より大であるため、遮光部がスリット状となる例である。このマスクを使用した場合のジッタを計算すると、図１２Ｂに示すものとなる。図１２Ｂに示すように、最良のジッタが約０．１２（１２％）となる。この値は、図４または図５を参照して説明したジッタの値より悪い値である。
【００４８】
図１１Ｂのマスクを使用した場合、光ディスクの記録面上のスポットの強度分布が図１４に示すものとなる。この強度分布の中心を通るラジアル方向の線上の強度分布が図１５Ａに示すものとなり、中心を通るタンジェンシャル方向の線上の強度分布が図１５Ｂに示すものとなる。図１４および図１５に示すように、タンジェンシャル方向のスポットサイズが大きくなる。その結果、スポットの解像度が低下し、ジッタが増加する。
【００４９】
図１１Ｃは、（Ｗ，Ａ）＝（１．０，０．１２５）であって、長手方向がビーム径１１より大であるため、遮光部がスリット状となる例である。このマスクを使用した場合のジッタを計算すると、図１２Ｃに示すものとなる。図１２Ｃに示すように、最良のジッタが約０．１３（１３％）となる。この値は、図４または図５を参照して説明したジッタの値より悪い値である。
【００５０】
さらに、図１３Ａは、（Ｗ，Ａ）＝（１．０，０．３７５）であって、長手方向がビーム径１１より大であるため、遮光部がスリット状となるマスクを使用した場合のジッタを示す。図１３Ａに示すように、最良のジッタが約０．１２（１２％）となる。この値は、図４または図５を参照して説明したジッタの値より悪い値である。
【００５１】
さらに、図１３Ｂは、（Ｗ，Ａ）＝（１．０，０．１８７５）であって、長手方向がビーム径１１より大であるため、遮光部がスリット状となるマスクを使用した場合のジッタを示す。図１３Ｂに示すように、最良のジッタが約０．１２（１２％）となる。この値は、図４または図５を参照して説明したジッタの値より悪い値である。上述したように、長手方向がビーム径１１より大の場合では、ジッタを本開示に比較して小さくすることが困難である。
【００５２】
「第１の実施の形態の変形例」
対物レンズ４の位置がトラッキングサーボによって変位される。その結果、対物レンズ４がマスク５に対して相対的に動いてしまい、再生信号の品質が低下するおそれがある。この問題を解決するために、図１６に示すように、連結部材７によって対物レンズ４とマスク５とを機械的に固定する。このようにすれば、対物レンズ４とマスク５の相対位置がずれないようにできる。
【００５３】
マスク５としては、例えば偏光依存性を有する回折作用を持つ回折素子を用いる。光ディスク１００の記録面からの戻り光に対してのみマスク５の回折作用が働くようにする。回折作用によってマスク５を通る光を分離して検出するようになされる。
【００５４】
＜２．第２の実施の形態＞
第２の実施の形態は、遮光マスクを設ける代わりに、ディテクタ６の検出信号を演算することによってクロストークを低減するものである。図１７に示すように、ディテクタ６の検出領域の中で、第１の実施の形態におけるマスク５の遮光部１２（図３参照）に対応する検出領域６ｂの受光量を変換して電気信号Ｓｂが得られる。さらに、ディテクタ６の検出領域の中で、検出領域６ｂ以外の検出領域６ａの受光量を変換して電気信号Ｓａが得られる。
【００５５】
ディテクタ６から得られる検出信号Ｓｓは、下記の演算によって求められる。
Ｓｓ＝Ｓａ＋ｋＳｂ
なお、検出領域６ａの受光量を変換して電気信号Ｓａを得ているが、ディテクタ６の全領域の受光量を電気信号Ｓａに変換しても良い。
【００５６】
係数ｋは、再生信号の品質を表すパラメータ例えばジッタが最も少なくなるように設定される。例えば検出領域６ｂの（Ｗ，Ａ）が（０．５，０．５）の場合の計算結果を図１８に示す。図１８から（ｋ＝−１．０）の場合が最もジッタを少なくすることができる。検出領域６ｂの（Ｗ，Ａ）が（０．５，１）の場合の計算結果を図１９に示す。図１９から（ｋ＝０．０）の場合が最もジッタを少なくすることができる。この場合は、マスクの外側だけで何も減算しない場合が最良である。
【００５７】
第２の実施の形態において、遮光部を有するマスク５を併用しても良い。さらに、マスク５が光を完全に遮らずに、多少、光を通過させる半透過性の領域を備えるものを使用しても良い。
【００５８】
図２０に示すように、第２の実施の形態の変形例として、プリズム８を戻り光の光路中てに挿入しても良い。プリズム８は、略平板状のもので、図２１に示すように、マスク５における遮光部に相当する位置に屈折部８ｂを有するものである。屈折部８ｂ以外の部分は、レーザ光を透過する透過部８ａとして形成されている。したがって、図２２に示すように、ディテクタ６において、透過部８ａを通った光ビームを受光する検出領域６ａと、屈折部８ｂを通った光を受光する検出領域６ｂとが分離されて形成される。
【００５９】
ディテクタ６から得られる検出信号Ｓｓは、上述したように、検出領域６ａの受光量を変換した電気信号Ｓａと、検出領域６ｂの受光量を変換した電気信号Ｓｂとを使用して求められる。このように求められた検出信号Ｓｓは、クロストークが低減されたものである。
【００６０】
さらに、図２３に示すように、第２の実施の形態のさらなる変形例として、回折素子９を戻り光の光路中てに挿入しても良い。回折素子９は、略平板状のもので、マスク５における遮光部に相当する位置に回折部９ａを有するものである。回折部９ａ以外の部分は、レーザ光を透過する透過部９ｂとして形成されている。したがって、ディテクタ６において、透過部９ｂを通った光ビームを受光する領域と、回折部９ａを通った光を受光する領域とが分離されて形成される。したがって、これらの領域から得られる電気信号を演算することによって、クロストークが低減された検出信号を得ることができる。
なお、第１の実施の形態と同様に、プリズム８、回折素子９等の光路変換部材が対物レンズ４と一体に変位するようにしても良い。
【００６１】
なお、本開示は、以下のような構成も取ることができる。
（１）
複数トラックが形成される光媒体を光学的に再生する光媒体再生装置であって、
光媒体から戻る、前記対物レンズの瞳の形状に応じて、ビームを外側部分の第１の領域、内側部分の第２の領域に分割し、
前記第１の領域の第１の検出信号および前記第２の領域の第２の検出信号を使用してトラック間のクロストークを低減する光媒体再生装置。
（２）
前記第２の領域は、トラック方向を長手とする長方形若しくは楕円形または類似の形状であり、前記長手が前記ビーム径未満である（１）に記載の光媒体再生装置。
（３）
前記第１の検出信号から前記第２の検出信号を減算してクロストークを低減する（１）および（２）の何れかに記載の光媒体再生装置。
（４）
前記対物レンズを通過し、ディテクタに至る光路中に、前記第２の領域の光を減衰させる光減衰部材を配置する（１）乃至（３）の何れかに記載の光媒体再生装置。
（５）
前記光減衰部材が遮光部材である（４）に記載の光媒体再生装置。
（６）
前記光減衰部材が前記対物レンズと一体に変位するようになされた（４）に記載の光媒体再生装置。
（７）
ディテクタ上において、前記第１の領域を検出する領域の中に、前記第２の領域を検出する領域が形成される（１）乃至（６）の何れかに記載の光媒体再生装置。
（８）
前記対物レンズを通過し、ディテクタに至る光路中に配され、前記第１の領域と前記第２の領域とを前記ディテクタの受光領域において分離させる光路変換部材を有する（１）乃至（７）の何れかに記載の光媒体再生装置。
（９）
前記光路変換部材が前記対物レンズと一体に変位するようになされた（８）に記載の光媒体再生装置。
（１０）
複数トラックが形成される光媒体を光学的に再生する光媒体再生方法であって、
光媒体から戻る、前記対物レンズの瞳の形状に応じて、ビームを外側部分の第１の領域、内側部分の第２の領域に分割し、
前記第１の領域の第１の検出信号および前記第２の領域の第２の検出信号を使用してトラック間のクロストークを低減する光媒体再生方法。
【００６２】
＜３．変形例＞
以上、本開示の実施の形態について具体的に説明したが、上述の各実施の形態に限定されるものではなく、本開示の技術的思想に基づく各種の変形が可能である。例えば、レーザ光源の波長は、４０５ｎｍ以外のものでも良い。さらに、光ディスクに対して記録および再生の一方のみを行う光ディスク装置に対しても本開示を適用できる。
【００６３】
また、上述の実施の形態の構成、方法、工程、形状、材料および数値などは、本開示の主旨を逸脱しない限り、互いに組み合わせることが可能である。
【符号の説明】
【００６４】
１・・・レーザダイオード
３・・・偏光ビームスプリッタ
４・・・対物レンズ
５・・・マスク
６・・・ディテクタ
８・・・プリズム
９・・・回折素子
１００・・・光ディスク
【図１】
2014232556.tif 000003
【図２】
2014232556.tif 000004
【図３】
2014232556.tif 000005
【図４】
2014232556.tif 000006
【図５】
2014232556.tif 000007
【図６】
2014232556.tif 000008
【図７】
2014232556.tif 000009
【図８】
2014232556.tif 000010
【図９】
2014232556.tif 000011
【図１０】
2014232556.tif 000012
【図１１】
2014232556.tif 000013
【図１２】
2014232556.tif 000014
【図１３】
2014232556.tif 000015
【図１４】
2014232556.tif 000016
【図１５】
2014232556.tif 000017
【図１６】
2014232556.tif 000018
【図１７】
2014232556.tif 000019
【図１８】
2014232556.tif 000020
【図１９】
2014232556.tif 000021
【図２０】
2014232556.tif 000022
【図２１】
2014232556.tif 000023
【図２２】
2014232556.tif 000024
【図２３】
2014232556.tif 000025